(57)【特許請求の範囲】
【請求項１】
建設廃材を破砕処理して得られる再生骨材を粒度別に篩い分ける振動篩を備え、該振動篩の篩網上に投入された再生骨材から混在するゴミを吸引除去する吸引ノズルを備えると共に、該吸引ノズル下流の吸引ダクトに集塵機及び排風機を備えた建設廃材用ゴミ取り装置であって、前記吸引ノズルを篩網の骨材送出方向下流側に臨ませ、前記吸引ダクトの途中には静圧センサを備えると共に、該静圧センサにて検出される静圧値と予め設定した所定の静圧設定値との差値量に基づいて吸引ダクトの排風量を可変制御する静圧／排風量制御器を備え、前記振動篩の篩網上の再生骨材から一定の吸引力でゴミを吸引除去可能なように構成する一方、前記集塵機の下位に二軸破砕機と篩網付振動フィーダとを順に配置し、集塵機でゴミと一緒に捕捉された再生骨材を前記二軸破砕機にて少なくとも篩網付振動フィーダの篩網を通過可能な粒度以下にまで破砕処理して篩網上に残留するゴミから分離回収するように構成したことを特徴とする建設廃材用ゴミ取り装置。
【発明の詳細な説明】
【技術分野】
【０００１】
本発明は、建設廃材を破砕処理して得られる再生骨材から混在する木屑、ビニール等のゴミを取り除く建設廃材用ゴミ取り装置に関する。
【背景技術】
【０００２】
道路工事などによって掘り起こされるアスファルト舗装廃材、コンクリート構造物の解体工事等に伴って発生するコンクリート廃材等の建設廃材を各種破砕機にて破砕処理して再生骨材として回収した後、振動篩等で所定粒度別に篩い分けて再生合材、路盤材等の材料として再利用することが行われている。
【０００３】
なお、前記建設廃材には、木屑、ビニール等のゴミが少なからず混入しており、従来、建設廃材を破砕処理して得られる再生骨材から、先ず、手選別などで大まかにゴミを取り除いた後、振動篩にて粒度別に篩い分ける際に手選別では取り切れずに残ったゴミを適宜の吸引装置等にて吸引除去するようにしたものがある。
【０００４】
例えば、特許文献１（特開平１１−１０４５６６号公報）には、振動篩の上方に設けられた吸込みフードから振動篩の振動により浮き上がった細粒分又は軽量なゴミを吸込み、ゴミが流れる吸込みダクトの途中位置に設けられ、ゴミの流れと交叉し且つ所定以上の大きさのゴミを付着させるフィルタを有する回転自在な回転回収体と、この回転回収体から落下させられた前記付着したゴミを貯蔵する気密保持されたゴミ貯蔵部とを備え、ゴミは前記回転回収体で回収する一方、細粒分は下流のバグフィルタで回収するように構成されてなる破砕処理した建設廃材からゴミを取り除くゴミ取り装置が記載されている。
【先行技術文献】
【特許文献】
【０００５】
【特許文献１】特開平１１−１０４５６６号公報
【発明の概要】
【発明が解決しようとする課題】
【０００６】
しかしながら、上記従来装置では、振動篩の振動に伴って篩網から浮き上がる軽量なゴミを細かい再生骨材と共に吸引除去した後、下流の吸い込みダクト側で不要なゴミをあらためて分離除去して有用な再生骨材を回収するようにしているため、一緒に吸い出される多くの再生骨材の中から混在するゴミを効率よく分離除去するための専用の装置・工程が別途必要となり、例えば、前記振動篩の篩網上に投入される再生骨材から、有用な骨材はできるだけ吸い出すことなく不要なゴミを効果的に吸引除去できれば、後工程のゴミの分離除去作業が不要または軽減できて効率面やコスト面で有益なものとなる可能性がある。
【０００７】
本発明は上記の点に鑑み、建設廃材を破砕処理して得られる再生骨材から混在するゴミを効果的に分離除去可能な建設廃材用ゴミ取り装置を提供することを課題とする。
【課題を解決するための手段】
【０００８】
上記課題を解決するために、本発明に係る請求項１記載の建設廃材用ゴミ取り装置によれば、建設廃材を破砕処理して得られる再生骨材を粒度別に篩い分ける振動篩を備え、該振動篩の篩網上に投入された再生骨材から混在するゴミを吸引除去する吸引ノズルを備えると共に、該吸引ノズル下流の吸引ダクトに集塵機及び排風機を備えた建設廃材用ゴミ取り装置であって、前記吸引ノズルを篩網の骨材送出方向下流側に臨ませ、前記吸引ダクトの途中には静圧センサを備えると共に、該静圧センサにて検出される静圧値と予め設定した所定の静圧設定値との差値量に基づいて吸引ダクトの排風量を可変制御する静圧／排風量制御器を備え、前記振動篩の篩網上の再生骨材から一定の吸引力でゴミを吸引除去可能なように構成する一方、前記集塵機の下位に二軸破砕機と篩網付振動フィーダとを順に配置し、集塵機でゴミと一緒に捕捉された再生骨材を前記二軸破砕機にて少なくとも篩網付振動フィーダの篩網を通過可能な粒度以下にまで破砕処理して篩網上に残留するゴミから分離回収するように構成したことを特徴としている。
【発明の効果】
【００１０】
本発明に係る請求項１記載の建設廃材用ゴミ取り装置によれば、再生骨材から混在するゴミを吸引除去する吸引ノズルを振動篩の篩網の骨材送出方向下流側に臨ませ、前記吸引ノズル下流の吸引ダクトの途中には静圧センサを備えると共に、該静圧センサにて検出される静圧値と予め設定した所定の静圧設定値との差値量に基づいて吸引ダクトの排風量を可変制御する静圧／排風量制御器を備え、前記振動篩の篩網上の再生骨材から一定の吸引力でゴミを吸引除去可能なように構成する一方、前記集塵機の下位に二軸破砕機と篩網付振動フィーダとを順に配置し、集塵機でゴミと一緒に捕捉された再生骨材を前記二軸破砕機にて少なくとも篩網付振動フィーダの篩網を通過可能な粒度以下にまで破砕処理して篩網上に残留するゴミから分離回収するように構成したので、比較的細かく軽量な骨材の多くが篩網を通過し終えている篩網下流側において、静圧制御にてゴミの重量に見合った過不足のない吸引力に調整しながら混在するゴミを吸引でき、再生骨材の混入をできるだけ抑えつつ不要なゴミを効果的に吸引除去することができる。
【００１１】
また、例え再生骨材の一部がゴミと一緒に吸い出されても下流の集塵機にて効率よく分離回収でき、簡単な構成ながら再生骨材を収率良く回収することができる。
【図面の簡単な説明】
【００１２】
【図１】本発明に係る建設廃材用ゴミ取り装置の一実施例を示す概略説明図である。
【発明を実施するための形態】
【００１３】
本発明に係る建設廃材用ゴミ取り装置にあっては、回収した建設廃材を破砕処理して得られる再生骨材を粒度別に篩い分ける振動篩と、該振動篩の篩網上に投入される再生骨材から混在するゴミを吸引除去する吸引ノズルとを備えると共に、該吸引ノズル下流の吸引ダクトにはゴミ捕捉用の集塵機と、吸引ノズルの吸引力を得るための排風機とを備えている。
【００１４】
前記吸引ノズルは、その先端部を篩網の骨材送出方向下流側に臨ませ、篩網上に投入される再生骨材のうち、比較的粒径が細かく軽量な骨材の多くが篩網を通過し終え、比較的粒径が大きく重量のある骨材が大半を占めている篩網終端部付近において重量差のある軽量なゴミを吸引するようにしており、分離する再生骨材とゴミとの重量差を有効に利用しながら、再生骨材の吸い込みをできるだけ抑えつつゴミを効果的に吸引除去可能なように図っている。
【００１５】
また、前記吸引ノズル下流の吸引ダクトの途中には静圧検出用の静圧センサを備えていると共に、該静圧センサにて検出される静圧値と予め設定される所定の静圧設定値との差値量に基づいて吸引ダクトの排風量を可変制御する静圧／排風量制御器を備えており、比較的軽量なゴミの重量に見合った過不足のない吸引力に調整・維持可能なように図っている。なお、前記静圧設定値としては、篩網に投入される再生骨材やそれに混在するゴミの量、重量、或いは性状等を考慮しつつ、実際のゴミの吸引具合等を確認しながら適当な負圧値を適宜設定すると良い。
【００１６】
また、好ましくは、前記集塵機の下位に二軸破砕機、篩網付振動フィーダを順に配置し、集塵機にてゴミと一緒に捕捉される再生骨材を前記二軸破砕機に投入して、少なくともその下位の篩網付振動フィーダの篩網を通過可能な粒度以下にまで破砕処理してゴミから分離回収できるように構成しても良い。
【００１７】
そして、上記構成の建設廃材用ゴミ取り装置にて、建設廃材を破砕処理して得られる再生骨材から混在するゴミを分離除去するときには、先ず、吸引ノズルにてゴミの重量に見合った過不足のない適当な吸引力が得られるように、前記静圧／排風量制御器に適宜の静圧設定値を設定登録する。そして、被処理物である再生骨材を前記振動篩に投入すると、比較的細かく軽量な骨材の多くが投入後速やかに篩網を通過して篩い分けられていく一方、比較的粒径が大きく重量のある骨材は篩網を通過することなく篩網上を下流方向へと送り出されていき、その結果、前記吸引ノズルを臨ませている篩網の終端部付近においては、重量のある再生骨材が大半を占めその中に軽量なゴミが混在している状態となり、その状態下で篩網の振動に伴って浮き上がるゴミが前記吸引ノズルより効果的に吸引されて再生骨材から分離除去されていく。
【００１８】
また、前記吸引ノズル下流の吸引ダクトに備えた集塵機の下位に二軸破砕機と篩網付振動フィーダとを配置した場合には、前記集塵機にてゴミと一緒に捕捉される再生骨材を二軸破砕機にて少なくとも篩網付振動フィーダの篩網を通過可能な粒度以下にまで破砕処理することにより、混在する木屑やビニール等のゴミがその柔軟な性状から破砕を免れてそのまま振動フィーダの篩網上に残留するのを利用して効率よく分離回収することが可能となり、簡単な構成ながら再生骨材の回収率向上に寄与するものとなる。なお、前記二軸破砕機の各破砕軸の間隔は、少なくとも篩網付振動フィーダの篩網の網目より小さい範囲内で適宜調整することができ、その調整幅に応じて所望粒度に調整された再生骨材を回収することが可能となる。
【００１９】
また、前記振動篩に配される網目サイズの異なる複数の篩網にそれぞれ個別に吸引ノズルを臨ませるようにしても良く、その場合には、上段側の篩網を通過し得る比較的細かいゴミも下段側の篩網の下流側にて吸引除去でき、混入ゴミのより少ない良質な再生骨材を回収することが可能となる。このとき、上段側の篩網上のゴミと下段側の篩網上のゴミの重量等に差異があるようであれば、各吸引ノズルの下流側にそれぞれダンパー等を設けて吸引力を個別に調整させるようにしても良い。
【００２０】
このように、振動篩に投入される再生骨材の篩い分けがある程度完了する篩網の下流側にてゴミを吸引除去するようにしたので、ゴミを吸引する際の再生骨材の混入を抑制でき、後工程のゴミの分離除去作業等が不要化或いは軽減化できると共に、再生骨材に混在する比較的軽量なゴミを吸引するのに見合った吸引力で足りるため、排風機に要求される能力を抑えられコスト面で有利なものとなる。また、集塵機にて捕捉されるゴミに再生骨材が混入していた場合でも、その再生骨材を敢えて細かく破砕処理することにより、篩網付振動フィーダ等にてゴミから効率よく分離回収でき、収率良く再生骨材を回収することが可能となる。
【実施例】
【００２１】
以下、本発明の一実施例を図面に基づいて説明する。
【００２２】
図中の１は、例えば、アスファルト舗装廃材、コンクリート廃材などの建設廃材から混在する木屑、ビニール等のゴミを分離除去する建設廃材用ゴミ取り装置であって、建設廃材を破砕処理することによって得られる再生骨材を所定粒度別に篩い分ける振動篩２と、該振動篩２の各篩網３ａ、３ｂ上に投入される再生骨材から混在するゴミを吸引除去する吸引ノズル４ａ、４ｂとを備えていると共に、該吸引ノズル４ａ、４ｂ下流の分岐ダクト５ａ、５ｂを連結する吸引ダクト５にはゴミ捕捉用の慣性式の集塵機であるサイクロン６と、吸引ノズル４ａ、４ｂの吸引力を得るための排風機７とを順に連結している。
【００２３】
前記振動篩２は、再生骨材を、例えば粒径４０ｍｍ程度以上、１３〜４０ｍｍ程度、１３ｍｍ程度以下の各粒径別に篩い分けることができるように網目サイズの異なる複数の篩網３ａ、３ｂを本体ケーシング８内に上下に配していると共に、該本体ケーシング８の上端部には起振体９、及び骨材投入用の投入口１０を備えている一方、下端部には前記各篩網３ａ、３ｂにて粒径別に篩い分けられた再生骨材を排出する排出口１１ａ、１１ｂ、１１ｃを備えている。
【００２４】
また、前記各吸引ノズル４ａ、４ｂの先端部をそれぞれ篩網３ａ、３ｂの骨材送出方向下流側（図中右端側）に臨ませ、各篩網３ａ、３ｂ上に供給される再生骨材のうち、比較的粒径が細かく軽量な骨材（上段側の篩網３ａであれば粒径４０ｍｍ程度以下、下段側の篩網３ｂであれば粒径１３ｍｍ程度以下）の多くが篩網３ａ、３ｂを通過し終え、比較的粒径が大きく重量のある骨材（上段側の篩網３ａであれば粒径４０ｍｍ程度以上、下段側の篩網３ｂであれば粒径１３ｍｍ程度以上）が大半を占めている各篩網３ａ、３ｂ終端部付近において重量差のある軽量なゴミを吸引するようにしており、分離する再生骨材とゴミとの重量差ができるだけ大きくなるように図りながら、再生骨材の吸い込みを抑えつつゴミを効果的に吸引除去可能なようにしている。
【００２５】
前記吸引ノズル４ａ、４ｂとサイクロン６とを連結する吸引ダクト５の途中には静圧検出用の静圧センサ１２を備えていると共に、該静圧センサ１２にて検出される吸引ダクト５内の静圧値と予め設定される所定の静圧設定値との差値量に基づいて、例えば、インバータ制御とした前記排風機７の回転数を調整したり、風量調整用に吸引ダクト５に設けられるメインダンパー（図示せず）の開度を調整するなどして、吸引ダクト５の排風量を可変制御する静圧／排風量制御器１３を備えており、篩網３ａ、３ｂ上のゴミを吸引するのに見合った過不足のない一定の吸引力に調整・維持可能なようにしている。
【００２６】
なお、上段側の篩網３ａ上に残るゴミと下段側の篩網３ｂ上に残るゴミの重量等に大きく差異があり、各吸引ノズル４ａ、４ｂに要求される吸引力に差が生じるようであれば、各吸引ノズル４ａ、４ｂ下流側の分岐ダクト５ａ、５ｂにそれぞれダンパーと静圧センサとを設けて、各静圧センサにて検出される各分岐ダクト５ａ、５ｂ内の静圧値に基づいて対応するダンパーの開度を個別に調整して各吸引ノズル４ａ、４ｂの吸引力を調整するようにしても良い。
【００２７】
また、前記静圧／排風量制御器１３に設定する静圧設定値としては、篩網３ａ、３ｂ上に投入される再生骨材やゴミの量、重量、或いは性状（湿潤状態か否かなど）等を考慮しつつ、実際のゴミの吸引具合等を確認しながら適当な負圧値を設定すると良く、また例えば、前記各条件が変動を生じてゴミを好適に吸引するのに必要な吸引力が変わった場合でも、前記静圧設定値を再設定することにより簡単に適当な吸引力に調整することができる。また、吸引ダクト５内の静圧を検出しているので、吸引ダクト５内にゴミ等が詰まって閉塞するような不測の事態が生じた場合でも直ちに検出できて迅速に対応することができる。
【００２８】
また、前記サイクロン６の下位には所定間隔で軸支された二本の破砕軸１４を有する二軸破砕機１５と、所定の網目サイズ（例えば６ｍｍ程度）の篩網１６を有した篩網付振動フィーダ１７とを順に配置し、サイクロン６にてゴミと一緒に捕捉される再生骨材をゴミと共に前記二軸破砕機１５に投入させて、少なくともその下位の篩網付振動フィーダ１７の篩網１６を通過可能な粒径以下にまで破砕処理することにより、混在する木屑やビニール等のゴミがその柔軟性からあまり破砕されずに篩網１６上に残留するのを利用して効率よく分離回収可能なように図っている。なお、前記各破砕軸１４の間隔は、少なくとも篩網付振動フィーダ１７の篩網１６の網目より小さい範囲内であれば適宜調整することができ、その調整幅に応じて分離回収される再生骨材の粒度を調整することも可能となる。
【００２９】
そして、上記構成の建設廃材用ゴミ取り装置１にて、建設廃材からゴミを分離除去するときには、先ず、吸引ノズル４ａ、４ｂにてゴミの重量に見合った過不足のない適当な吸引力が得られるように、前記静圧／排風量制御器１３に適宜の静圧設定値を設定登録する。次いで、建設廃材を適宜の破砕設備にて破砕処理することで得られた再生骨材を振動篩２の投入口１０より投入すると、各篩網３ａ、３ｂにて粒度別に篩い分けられて下位の排出口１１ａ、１１ｂ、１１ｃより排出されていく。
【００３０】
このとき、各篩網３ａ、３ｂでは、それぞれの粒度範囲において、比較的細かく軽量な骨材の多くが投入後速やかに篩網３ａ、３ｂを通過して篩い分けられていく一方、比較的大きく重量のある骨材は篩網３ａ、３ｂを通過することなく篩網３ａ、３ｂ下流方向へと送り出されていき、その結果、前記吸引ノズル４ａ、４ｂを臨ませている篩網３ａ、３ｂの終端部付近においては、重量のある骨材が大半を占めている中に軽量なゴミが混在しているような状態となり、その状態下で篩網３ａ、３ｂの振動に伴って浮き上がるゴミが前記吸引ノズル４ａ、４ｂより効果的に吸引されて分離除去されていく。
【００３１】
一方、各吸引ノズル４ａ、４ｂより吸引された木屑やビニール等のゴミは、分岐ダクト５ａ、５ｂ、及び吸引ダクト５を介して導出され、下流のサイクロン６にて捕捉されるが、一緒に吸引された再生骨材がサイクロン６にてゴミと共に捕捉される場合があり、この捕捉された骨材とゴミは共に下位の二軸破砕機１５に投入して破砕処理にかけていく。このとき、木屑やビニール等のゴミはその柔軟な性状から破砕を免れ、下位の篩網付振動フィーダ１７の篩網１６を通過することなく終端部まで送り出されて分離除去される一方、骨材は所定粒径以下に破砕処理され、下位の篩網付振動フィーダ１７の篩網１６を通過して篩い分けられて、再生骨材として有効に回収される。
【００３２】
なお、本実施例ではゴミ捕捉用の集塵機としてサイクロン６を採用しているが、必ずしもこれに限定されるものではなく、他の集塵機を適宜採用することができる。また、図中には記載していないが、各吸引ノズル４ａ、４ｂにて吸引されるゴミには、慣性集塵機であるサイクロン６では十分に捕捉しきれない細かいダスト分も含まれているため、必要に応じてサイクロン６下流側にバグフィルタ等の集塵機を設置するようにしても良い。
【００３３】
このように、本発明によれば、振動篩２の篩網４ａ、４ｂ終端部付近にてゴミを吸引するようにすると共に、静圧制御にてゴミの重量に見合った過不足のない適当な吸引力にて吸引するようにしたので、再生骨材の混入をできるだけ抑えながらゴミを効果的に吸引除去することが可能となり、後工程のゴミの分離除去作業等が不要或いは軽減できて有益なものとなる。
【符号の説明】
【００３４】
１…建設廃材用ゴミ取り装置        ２…振動篩
３ａ、３ｂ…篩網                  ４ａ、４ｂ…吸引ノズル
５…吸引ダクト                    ５ａ、５ｂ…分岐ダクト（吸引ダクト）
６…サイクロン（集塵機）          ７…排風機
１２…静圧センサ                  １３…静圧／排風量制御器
１５…二軸破砕機                  １７…篩網付振動フィーダ
【図１】
0006406755.tif 000002